(57)【要約】【課題】基地局装置と端末装置とが通信する通信システムにおいて、互いに異なる受信能力を有する端末装置が多重されるような状況下においても、システム全体の伝送効率をより向上させる。【解決手段】無線通信を行う通信部と、使用するチャネルの帯域幅及び中心周波数のうち少なくともいずれかが異なる複数の端末装置それぞれとの通信のためのリソースを割り当てる制御部と、を備え、前記制御部は、前記リソースを割り当てる領域のうち、前記複数の端末装置それぞれの前記チャネル間で重複する第１の領域に、当該複数の端末装置に対して共通に送信される第１の制御チャネルを割り当て、前記第１の領域とは異なる第２の領域に、当該複数の端末装置それぞれに対して個別に送信される第２の制御チャネルを割り当てる、通信装置。【選択図】図１８
2018026623.tif 000002
【特許請求の範囲】
【請求項１】
無線通信を行う通信部と、
使用するチャネルの帯域幅及び中心周波数のうち少なくともいずれかが異なる複数の端末装置それぞれとの通信のためのリソースを割り当てる制御部と、
を備え、
前記制御部は、
前記リソースを割り当てる領域のうち、前記複数の端末装置それぞれの前記チャネル間で重複する第１の領域に、当該複数の端末装置に対して共通に送信される第１の制御チャネルを割り当て、
前記第１の領域とは異なる第２の領域に、当該複数の端末装置それぞれに対して個別に送信される第２の制御チャネルを割り当てる、
通信装置。
【請求項２】
前記第１の領域は、前記複数の端末装置それぞれの前記チャネル間において、周波数及び時間が重複する領域である、請求項１に記載の通信装置。
【請求項３】
前記第２の領域は、前記複数の端末装置それぞれの前記チャネルに対して前記リソースを割り当てる領域のうち、前記第１の領域を除く領域である、請求項１に記載の通信装置。
【請求項４】
前記第２の領域は、前記第１の領域と、周波数方向及び時間方向のうち少なくともいずれかの位置が異なる領域である、請求項３に記載の通信装置。
【請求項５】
前記制御部は、
前記第１の制御チャネルが関連付けられた一連の第１の論理制御チャネルエレメントを前記第１の領域に割り当てることで、当該第１の制御チャネルを当該第１の領域に割り当て、
前記第２の制御チャネルが関連付けられた一連の第２の論理制御チャネルエレメントを前記第２の領域に割り当てることで、当該第２の制御チャネルを当該第２の領域に割り当てる、
請求項１に記載の通信装置。
【請求項６】
前記一連の第１の論理制御チャネルエレメントは、所定のキャリアの中心周波数を基点として、周波数軸に沿って当該中心周波数から離間するように順次割り当てられる、請求項５に記載の通信装置。
【請求項７】
前記一連の第１の論理制御チャネルエレメントは、前記第１の領域の中心周波数を基点として、周波数軸に沿って当該中心周波数から離間するように順次割り当てられる、請求項５に記載の通信装置。
【請求項８】
前記第１の論理制御チャネルエレメント及び前記第２の論理制御チャネルエレメントの割り当てに関する情報を、前記端末装置に通知する通知部を備える、請求項５に記載の通信装置。
【請求項９】
前記制御部は、
前記第１の制御チャネルを、前記第１の領域中の少なくとも一部に直接割当て、
前記第２の制御チャネルを、前記第２の領域中の少なくとも一部に直接割当てる、
請求項１に記載の通信装置。
【請求項１０】
前記第１の領域は、端末装置が、所定の基準信号を検出する際に得られる情報、所定の報知情報を復号する際に得られる情報、または初期接続の際に得られる情報に基づき設定される、請求項１に記載の通信装置。
【請求項１１】
前記第１の領域は、前記複数の端末装置間で共通に受信される所定の基準信号が配置される周波数帯域に設定される、請求項１に記載の通信装置。
【請求項１２】
前記第２の領域は、前記端末装置ごと、または前記端末装置のグループごとに個別に設定される、請求項１に記載の通信装置。
【請求項１３】
前記第２の領域には、前記端末装置ごと、または前記端末装置のグループごとに固有のサーチスペースが配置される、請求項１２に記載の通信装置。
【請求項１４】
前記制御部は、前記第２の制御チャネルに関する情報が、前記第１の制御チャネルを介して前記端末装置に送信されるように制御する、請求項１に記載の通信装置。
【請求項１５】
無線通信を行う通信部と、
基地局と、使用するチャネルの帯域幅及び中心周波数のうち少なくともいずれかが異なる複数の端末装置それぞれと、の間の通信のために割り当てられたリソースに関する情報を、前記基地局から取得する取得部と、
を備え、
前記複数の端末装置に対して共通に送信される第１の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられる、
通信装置。
【請求項１６】
前記取得部は、所定の基準信号の検出結果に基づき、前記リソースに関する情報を取得する、請求項１５に記載の通信装置。
【請求項１７】
前記取得部は、信号が送信されていないサブキャリアの検出結果に基づき、前記リソースに関する情報を取得する、請求項１５に記載の通信装置。
【請求項１８】
前記取得部は、前記第１の制御チャネルを介して、前記第２の制御チャネルに関する情報を取得する、請求項１５に記載の通信装置。
【請求項１９】
無線通信を行うことと、
コンピュータが、使用するチャネルの帯域幅及び中心周波数のうち少なくともいずれかが異なる複数の端末装置それぞれとの通信のためのリソースを割り当てることと、
を含み、
前記リソースを割り当てる領域のうち、前記複数の端末装置それぞれの前記チャネル間で重複する第１の領域に、当該複数の端末装置に対して共通に送信される第１の制御チャネルが割り当てられ、
前記第１の領域とは異なる第２の領域に、当該複数の端末装置それぞれに対して個別に送信される第２の制御チャネルを割り当てられる、
通信方法。
【請求項２０】
無線通信を行うことと、
コンピュータが、基地局と、使用するチャネルの帯域幅及び中心周波数のうち少なくともいずれかが異なる複数の端末装置それぞれと、の間の通信のために割り当てられたリソースに関する情報を、前記基地局から取得することと、
を含み、
前記複数の端末装置に対して共通に送信される第１の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられる、
通信方法。
【請求項２１】
コンピュータに、
無線通信を行うことと、
使用するチャネルの帯域幅及び中心周波数のうち少なくともいずれかが異なる複数の端末装置それぞれとの通信のためのリソースを割り当てることと、
を実行させ、
前記リソースを割り当てる領域のうち、前記複数の端末装置それぞれの前記チャネル間で重複する第１の領域に、当該複数の端末装置に対して共通に送信される第１の制御チャネルが割り当てられ、
前記第１の領域とは異なる第２の領域に、当該複数の端末装置それぞれに対して個別に送信される第２の制御チャネルを割り当てられる、
プログラム。
【請求項２２】
コンピュータに、
無線通信を行うことと、
基地局と、使用するチャネルの帯域幅及び中心周波数のうち少なくともいずれかが異なる複数の端末装置それぞれと、の間の通信のために割り当てられたリソースに関する情報を、前記基地局から取得することと、
を実行させ、
前記複数の端末装置に対して共通に送信される第１の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられる、
プログラム。
【発明の詳細な説明】
【技術分野】
【０００１】
本開示は、通信装置、通信方法、及びプログラムに関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【先行技術文献】
【非特許文献】
【０００４】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.3.0  (2016−03).＜http://www.3gpp.org/ftp/Specs/archive/38_series/38.913/38913-030.zip＞
【発明の概要】
【発明が解決しようとする課題】
【０００５】
無線アクセス技術において、サポートされる受信帯域幅などの端末装置の受信能力は、ユースケースに応じて柔軟に設計されることが好ましく、周波数利用効率の観点から、その柔軟に設計された複数の無線アクセス技術の多重が行われることが重要である。従来は、同一の受信能力を有する端末装置の多重のみが検討されていた。しかしながら、互いに異なる受信能力を有する端末装置の多重は想定されていないため、異なる受信能力を有する端末装置を多重することが困難である。
【０００６】
そこで、本開示では、基地局装置と端末装置とが通信する通信システムにおいて、互いに異なる受信能力を有する端末装置が多重されるような状況下においても、システム全体の伝送効率をより向上させることが可能な、通信装置、通信方法、及びプログラムを提案する。
【課題を解決するための手段】
【０００７】
本開示によれば、無線通信を行う通信部と、使用するチャネルの帯域幅及び中心周波数のうち少なくともいずれかが異なる複数の端末装置それぞれとの通信のためのリソースを割り当てる制御部と、を備え、前記制御部は、前記リソースを割り当てる領域のうち、前記複数の端末装置それぞれの前記チャネル間で重複する第１の領域に、当該複数の端末装置に対して共通に送信される第１の制御チャネルを割り当て、前記第１の領域とは異なる第２の領域に、当該複数の端末装置それぞれに対して個別に送信される第２の制御チャネルを割り当てる、通信装置が提供される。
【０００８】
また、本開示によれば、無線通信を行う通信部と、基地局と、使用するチャネルの帯域幅及び中心周波数のうち少なくともいずれかが異なる複数の端末装置それぞれと、の間の通信のために割り当てられたリソースに関する情報を、前記基地局から取得する取得部と、を備え、前記複数の端末装置に対して共通に送信される第１の制御チャネルは、前記リソースが割り当てられる領域のうち、当該複数の端末装置それぞれの前記チャネル間で重複する第１の領域に割り当てられ、当該複数の端末装置それぞれに対して個別に送信される第２の制御チャネルは、前記第１の領域とは異なる第２の領域に割り当てられる、通信装置が提供される。
【０００９】
また、本開示によれば、無線通信を行うことと、コンピュータが、使用するチャネルの帯域幅及び中心周波数のうち少なくともいずれかが異なる複数の端末装置それぞれとの通信のためのリソースを割り当てることと、を含み、前記リソースを割り当てる領域のうち、前記複数の端末装置それぞれの前記チャネル間で重複する第１の領域に、当該複数の端末装置に対して共通に送信される第１の制御チャネルが割り当てられ、前記第１の領域とは異なる第２の領域に、当該複数の端末装置それぞれに対して個別に送信される第２の制御チャネルを割り当てられる、通信方法が提供される。
【００１０】
また、本開示によれば、無線通信を行うことと、コンピュータが、基地局と、使用するチャネルの帯域幅及び中心周波数のうち少なくともいずれかが異なる複数の端末装置それぞれと、の間の通信のために割り当てられたリソースに関する情報を、前記基地局から取得することと、を含み、前記複数の端末装置に対して共通に送信される第１の制御チャネルは、前記リソースが割り当てられる領域のうち、当該複数の端末装置それぞれの前記チャネル間で重複する第１の領域に割り当てられ、当該複数の端末装置それぞれに対して個別に送信される第２の制御チャネルは、前記第１の領域とは異なる第２の領域に割り当てられる、通信方法が提供される。
【００１１】
また、本開示によれば、コンピュータに、無線通信を行うことと、使用するチャネルの帯域幅及び中心周波数のうち少なくともいずれかが異なる複数の端末装置それぞれとの通信のためのリソースを割り当てることと、を実行させ、前記リソースを割り当てる領域のうち、前記複数の端末装置それぞれの前記チャネル間で重複する第１の領域に、当該複数の端末装置に対して共通に送信される第１の制御チャネルが割り当てられ、前記第１の領域とは異なる第２の領域に、当該複数の端末装置それぞれに対して個別に送信される第２の制御チャネルを割り当てられる、プログラムが提供される。
【００１２】
また、本開示によれば、コンピュータに、無線通信を行うことと、基地局と、使用するチャネルの帯域幅及び中心周波数のうち少なくともいずれかが異なる複数の端末装置それぞれと、の間の通信のために割り当てられたリソースに関する情報を、前記基地局から取得することと、を実行させ、前記複数の端末装置に対して共通に送信される第１の制御チャネルは、前記リソースが割り当てられる領域のうち、当該複数の端末装置それぞれの前記チャネル間で重複する第１の領域に割り当てられ、当該複数の端末装置それぞれに対して個別に送信される第２の制御チャネルは、前記第１の領域とは異なる第２の領域に割り当てられる、プログラムが提供される。
【発明の効果】
【００１３】
以上説明したように本開示によれば、基地局装置と端末装置とが通信する通信システムにおいて、互いに異なる受信能力を有する端末装置が多重されるような状況下においても、システム全体の伝送効率をより向上させることが可能な、通信装置、通信方法、及びプログラムが提供される。
【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態におけるコンポーネントキャリアの設定の一例を示す図である。
【図２】同実施形態におけるコンポーネントキャリアの設定の一例を示す図である。
【図３】同実施形態におけるＬＴＥの下りリンクサブフレームの一例を示す図である。
【図４】同実施形態におけるＬＴＥの上りリンクサブフレームの一例を示す図である。
【図５】ＮＲセルにおける送信信号に関するパラメータセットの一例を示す図である。
【図６】同実施形態におけるＮＲの下りリンクサブフレームの一例を示す図である。
【図７】同実施形態におけるＮＲの上りリンクサブフレームの一例を示す図である。
【図８】同実施形態の基地局装置の構成を示す概略ブロック図である。
【図９】同実施形態の端末装置２の構成を示す概略ブロック図である。
【図１０】ＰＤＣＣＨのリソースエレメントグループのマッピングの一例について説明するための説明図である。
【図１１】ＥＰＤＤＣＨの拡張リソースエレメントグループのマッピングの一例について説明するための説明図である。
【図１２】同実施形態におけるＬＴＥの下りリンクリソースエレメントマッピングの一例を示す図である。
【図１３】同実施形態におけるＮＲの下りリンクリソースエレメントマッピングの一例を示す図である。
【図１４】同実施形態におけるＮＲの下りリンクリソースエレメントマッピングの一例を示す図である。
【図１５】同実施形態におけるＮＲの下りリンクリソースエレメントマッピングの一例を示す図である。
【図１６】同実施形態における自己完結型送信のフレーム構成の一例を示す図である。
【図１７】ＮＲにおける端末装置の受信帯域の一例について説明するための説明図である。
【図１８】ＮＲ−ＣＣＥの構成とＮＲ−ＰＤＣＣＨへのマッピングとの一例について説明するための説明図である。
【図１９】ＮＲ−ＣＣＥのＮＲ−ＰＤＣＣＨへのマッピングの一例について説明するための説明図である。
【図２０】ＮＲ−ＣＣＥのＮＲ−ＰＤＣＣＨへのマッピングの一例について説明するための説明図である。
【図２１】端末装置の受信帯域幅とＮＲ−ＰＤＣＣＨ領域との一例について説明するための説明図である。
【図２２】ｅＮＢの概略的な構成の第１の例を示すブロック図である。
【図２３】ｅＮＢの概略的な構成の第２の例を示すブロック図である。
【図２４】スマートフォンの概略的な構成の一例を示すブロック図である。
【図２５】カーナビゲーション装置の概略的な構成の一例を示すブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．実施形態
１．１．概要
１．２．無線フレーム構成
１．３．チャネルおよび信号
１．４．構成
１．５．制御情報および制御チャネル
１．６．ＣＡ及びＤＣ
１．７．リソースの割り当て
１．８．エラー訂正
１．９．リソースエレメントマッピング
１．１０．自己完結型送信
１．１１．技術的特徴
２．応用例
２．１．基地局に関する応用例
２．２．端末装置に関する応用例
３．むすび
【００１８】
＜＜１．実施形態＞＞
＜１．１．概要＞
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１９】
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インターフェースの手段によって互いに接続できる。また、基地局装置１は、Ｓ１インターフェースの手段によってＥＰＣ（Evolved  Packet  Core）に接続できる。さらに、基地局装置１は、Ｓ１−ＭＭＥインターフェースの手段によってＭＭＥ（Mobility  Management  Entity）に接続でき、Ｓ１−Ｕインターフェースの手段によってＳ−ＧＷ（Serving  Gateway）に接続できる。Ｓ１インターフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００２０】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００２１】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００２２】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２３】
基地局装置１および端末装置２は、下りリンク、上りリンクおよび／またはサイドリンクにおいて、１つ以上のセルの集合を用いる通信をサポートできる。複数のセルの集合または複数のセルの集合による通信は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２４】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２５】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２６】
＜１．２．無線フレーム構成＞
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２７】
サブフレームは、下りリンクサブフレーム、上りリンクサブフレーム、スペシャルサブフレームおよびサイドリンクサブフレームなどを含む。
【００２８】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２９】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００３０】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００３１】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００３２】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３３】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３４】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３５】
なお、１つの送信における時間間隔はＴＴＩ（Transmission
Time Interval）と呼称され、ＬＴＥにおいて、１ｍｓ（１サブフレーム）を１ＴＴＩと定義される。
【００３６】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３７】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３８】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３９】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００４０】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００４１】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００４２】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency
Division Multiplexing）、ＴＤＭ（Time Division Multiplexing）、ＣＤＭ（Code Division Multiplexing）および／またはＳＤＭ（Spatial Division Multiplexing）などを含む。
【００４３】
ＮＲセルに設定される所定のパラメータの組み合わせは、パラメータセットとして、複数種類を予め規定できる。
【００４４】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【００４５】
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４６】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４７】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図６に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４８】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
【００４９】
アンテナポートはアンテナポート番号によって特定または識別される。例えば、アンテナポート０〜３は、ＣＲＳ（Cell−specific  Reference  Signal）が送信されるアンテナポートである。すなわち、アンテナポート０〜３で送信されるＰＤＳＣＨは、アンテナポート０〜３に対応するＣＲＳで復調できる。
【００５０】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００５１】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００５２】
＜１．３．チャネルおよび信号＞
＜本実施形態における物理チャネルおよび物理信号＞
本実施形態において、物理チャネルおよび物理信号が用いられる。
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５３】
＜本実施形態におけるＮＲ物理チャネルおよびＮＲ物理信号＞
ＬＴＥにおける物理チャネルおよび物理信号に対する説明は、それぞれＮＲ物理チャネルおよびＮＲ物理信号に対しても適用できる。ＮＲ物理チャネルおよびＮＲ物理信号は、以下のように呼称される。
【００５４】
ＮＲ下りリンク物理チャネルは、ＮＲ−ＰＢＣＨ、ＮＲ−ＰＣＦＩＣＨ、ＮＲ−ＰＨＩＣＨ、ＮＲ−ＰＤＣＣＨ、ＮＲ−ＥＰＤＣＣＨ、ＮＲ−ＭＰＤＣＣＨ、ＮＲ−Ｒ−ＰＤＣＣＨ、ＮＲ−ＰＤＳＣＨ、および、ＮＲ−ＰＭＣＨなどを含む。
【００５５】
ＮＲ下りリンク物理信号は、ＮＲ−ＳＳ、ＮＲ−ＤＬ−ＲＳおよびＮＲ−ＤＳなどを含む。ＮＲ−ＳＳは、ＮＲ−ＰＳＳおよびＮＲ−ＳＳＳなどを含む。ＮＲ−ＲＳは、ＮＲ−ＣＲＳ、ＮＲ−ＰＤＳＣＨ−ＤＭＲＳ、ＮＲ−ＥＰＤＣＣＨ−ＤＭＲＳ、ＮＲ−ＰＲＳ、ＮＲ−ＣＳＩ−ＲＳ、およびＮＲ−ＴＲＳなどを含む。
【００５６】
ＮＲ上りリンク物理チャネルは、ＮＲ−ＰＵＳＣＨ、ＮＲ−ＰＵＣＣＨ、およびＮＲ−ＰＲＡＣＨなどを含む。
【００５７】
ＮＲ上りリンク物理信号は、ＮＲ−ＵＬ−ＲＳを含む。ＮＲ−ＵＬ−ＲＳは、ＮＲ−ＵＬ−ＤＭＲＳおよびＮＲ−ＳＲＳなどを含む。
【００５８】
ＮＲサイドリンク物理チャネルは、ＮＲ−ＰＳＢＣＨ、ＮＲ−ＰＳＣＣＨ、ＮＲ−ＰＳＤＣＨ、およびＮＲ−ＰＳＳＣＨなどを含む。
【００５９】
＜本実施形態における下りリンク物理チャネル＞
ＰＢＣＨは、基地局装置１のサービングセルに固有の報知情報であるＭＩＢ（Master  Information  Block）を報知するために用いられる。ＰＢＣＨは無線フレーム内のサブフレーム０のみで送信される。ＭＩＢは、４０ｍｓ間隔で更新できる。ＰＢＣＨは１０ｍｓ周期で繰り返し送信される。具体的には、ＳＦＮ（System  Frame  Number）を４で割った余りが０である条件を満たす無線フレームにおけるサブフレーム０においてＭＩＢの初期送信が行なわれ、他の全ての無線フレームにおけるサブフレーム０においてＭＩＢの再送信（repetition）が行われる。ＳＦＮは無線フレームの番号（システムフレーム番号）である。ＭＩＢはシステム情報である。例えば、ＭＩＢは、ＳＦＮを示す情報を含む。
ＰＣＦＩＣＨは、ＰＤＣＣＨの送信に用いられるＯＦＤＭシンボルの数に関する情報を送信するために用いられる。ＰＣＦＩＣＨで示される領域は、ＰＤＣＣＨ領域とも呼称される。ＰＣＦＩＣＨで送信される情報は、ＣＦＩ（Control
Format Indicator）とも呼称される。
【００６０】
ＰＨＩＣＨは、基地局装置１が受信した上りリンクデータ（Uplink  Shared  Channel:  UL-SCH）に対するＡＣＫ（ACKnowledgement）またはＮＡＣＫ（Negative  ACKnowledgement）を示すＨＡＲＱ−ＡＣＫ（ＨＡＲＱインディケータ、ＨＡＲＱフィードバック、応答情報）を送信するために用いられる。例えば、端末装置２がＡＣＫを示すＨＡＲＱ−ＡＣＫを受信した場合は、対応する上りリンクデータを再送しない。例えば、端末装置２がＮＡＣＫを示すＨＡＲＱ−ＡＣＫを受信した場合は、端末装置２は対応する上りリンクデータを所定の上りリンクサブフレームで再送する。あるＰＨＩＣＨは、ある上りリンクデータに対するＨＡＲＱ−ＡＣＫを送信する。基地局装置１は、同一のＰＵＳＣＨに含まれる複数の上りリンクデータに対するＨＡＲＱ−ＡＣＫのそれぞれを複数のＰＨＩＣＨを用いて送信する。
【００６１】
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００６２】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００６３】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００６４】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００６５】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００６６】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００６７】
ＰＭＣＨは、マルチキャストデータ（Multicast  Channel:  MCH）を送信するために用いられる。
【００６８】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００６９】
＜本実施形態における下りリンク物理信号＞
同期信号は、端末装置２が下りリンクの周波数領域および／または時間領域の同期をとるために用いられる。同期信号は、ＰＳＳ（Primary
Synchronization Signal）およびＳＳＳ（Secondary Synchronization Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００７０】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００７１】
下りリンク参照信号は、端末装置２が下りリンク物理チャネルの伝搬路推定、伝搬路補正、下りリンクのＣＳＩ（Channel
State Information、チャネル状態情報）の算出、および／または、端末装置２のポジショニングの測定を行うために用いられる。
【００７２】
ＣＲＳは、サブフレームの全帯域で送信される。ＣＲＳは、ＰＢＣＨ、ＰＤＣＣＨ、ＰＨＩＣＨ、ＰＣＦＩＣＨ、およびＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、およびＰＣＦＩＣＨは、ＣＲＳの送信に用いられるアンテナポートで送信される。ＣＲＳは、１、２または４のアンテナポートの構成をサポートする。ＣＲＳは、アンテナポート０〜３の１つまたは複数で送信される。
【００７３】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００７４】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００７５】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００７６】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００７７】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００７８】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００７９】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００８０】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００８１】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００８２】
＜本実施形態における制御チャネルのための物理リソース＞
リソースエレメントグループ（ＲＥＧ：Resource  Element  Group）は、リソースエレメントと制御チャネルのマッピングを定義するために用いられる。例えば、ＲＥＧは、ＰＤＣＣＨ、ＰＨＩＣＨ、またはＰＣＦＩＣＨのマッピングに用いられる。ＲＥＧは、同一のＯＦＤＭシンボル内であり、同一のリソースブロック内において、ＣＲＳのために用いられない４つの連続したリソースエレメントで構成される。また、ＲＥＧは、あるサブフレーム内の１番目のスロットにおける１番目のＯＦＤＭシンボルから４番目のＯＦＤＭシンボルの中で構成される。
【００８３】
拡張リソースエレメントグループ（ＥＲＥＧ：Enhanced  Resource  Element  Group）は、リソースエレメントと拡張制御チャネルのマッピングを定義するために用いられる。例えば、ＥＲＥＧは、ＥＰＤＣＣＨのマッピングに用いられる。１つのリソースブロックペアは１６のＥＲＥＧで構成される。それぞれのＥＲＥＧはリソースブロックペア毎に０から１５の番号が付される。それぞれのＥＲＥＧは、１つのリソースブロックペアにおいて、ＥＰＤＣＣＨに関連付けられたＤＭ−ＲＳのために用いられるリソースエレメントを除いた９つのリソースエレメントで構成される。
【００８４】
＜１．４．構成＞
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００８５】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００８６】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００８７】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００８８】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００８９】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００９０】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００９１】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００９２】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００９３】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００９４】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００９５】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域信号の抽出を行う。
【００９６】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００９７】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００９８】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００９９】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【０１００】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【０１０１】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【０１０２】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【０１０３】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【０１０４】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【０１０５】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【０１０６】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【０１０７】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【０１０８】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【０１０９】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【０１１０】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１１１】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１１２】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１１３】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１１４】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域の信号の抽出を行う。
【０１１５】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１１６】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１１７】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１１８】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１１９】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１２０】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１２１】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１２２】
＜１．５．制御情報および制御チャネル＞
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１２３】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１２４】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１２５】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１２６】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１２７】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１２８】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１２９】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１３０】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１３１】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１３２】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１３３】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１３４】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１３５】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１３６】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１３７】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１３８】
ここで、ＰＤＣＣＨのサーチスペースＳｋ（Ｌ）を決定する数式の一例について説明する。例えば、以下に（式１）として示す数式は、ＰＤＣＣＨのサーチスペースを決定するための数式の一例である。また、以下に（式２）として示す数式は、ＰＤＣＣＨのサーチスペースを決定する数式の他の一例である。
【０１３９】
【数１】
2018026623.tif 000003
…（式１）
2018026623.tif 000004
…（式２）
【０１４０】
上記した（式１）及び（式２）において、ｋはサブフレームインデックスを示しており、ｐはＥＰＤＣＣＨ−ＰＲＢ−ｓｅｔのインデックスのインデックスを示している。また、Ｌはアグリゲーションレベルを示しており、ＹｋおよびＹｐ,ｋはＣＣＥの初期位置を示すパラメータである。また、ｍおよびｍ’はＰＤＣＣＨまたはＥＰＤＤＣＨの候補数のインデックスを示している。また、ＮＣＣＥ,ｋおよびＮＥＣＣＥ,ｐ,ｋはＣＣＥ数を示しており、Ｍｐ（Ｌ）は１つのアグリゲーション長の中のＣＣＥを示すインデックスを示している。また、ｂはクロスキャリアスケジューリングが設定された場合におけるオフセットを示している。
【０１４１】
また、リソースエレメントグループ（ＲＥＧ：Resource  element  group）は、ＰＤＣＣＨのリソースエレメントに対するマッピングを定義するために用いられる。例えば、図１０は、ＰＤＣＣＨのリソースエレメントグループのマッピングの一例について説明するための説明図である。ＲＥＧは、各ＯＦＤＭシンボルにおいて、周波数の低い方から順番に４個または５個のリソースエレメントによって定義される。具体的には、ＣＲＳが含まれるＯＦＤＭシンボルでは、周波数の低い方から順番に５個のリソースエレメントによって定義され、ＣＲＳが含まれないＯＦＤＭでは、４個のリソースエレメントによって定義される。また、ＲＥＧは、４個または５個で構成されるリソースエレメントのうちの、周波数が最も低いリソースエレメントをＲＥＧの代表とする。具体的には、時間方向が優先され、次に周波数方向に探索することで、そのＲＥＧの代表に対してインデックスが割り当てられる。
【０１４２】
それぞれのＣＣＥは、複数のＲＥＧで構成される。具体的な一例として、１つのＣＣＥは、９個のＲＥＧで構成される。１つのＣＣＥを構成する９個のＲＥＧは、セルＩＤと、インターリーブされた所定のパターンによって選択される。
【０１４３】
１つのＰＤＣＣＨに用いられるＣＣＥの数は、ＰＤＣＣＨフォーマットに依存し、他のパラメータに基づいて決定される。１つのＰＤＣＣＨに用いられるＣＣＥの数は、アグリゲーションレベルとも呼称される。例えば、１つのＰＤＣＣＨに用いられるＣＣＥの数は、１つのＲＢ（Resource  Block）ペアにおけるＰＤＣＣＨ送信に用いることが可能なリソースエレメントの数、ＥＰＤＣＣＨの送信方法等に基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、例えば、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１４４】
それぞれのＥＣＣＥは、複数の拡張リソースエレメントグループ（ＥＲＥＧ：Enhanced  resource  element  group）で構成される。ＥＲＥＧは、ＥＰＤＣＣＨのリソースエレメントに対するマッピングを定義するために用いられる。例えば、図１１は、ＥＰＤＤＣＨの拡張リソースエレメントグループのマッピングの一例について説明するための説明図である。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１４５】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１４６】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１４７】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１４８】
＜１．６．ＣＡ及びＤＣ＞
＜本実施形態におけるCAとDCの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１４９】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１５０】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１５１】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１５２】
ＤＣにおいて、少なくともＳ１−ＭＭＥ（Mobility  Management  Entity）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループを、セルグループ（ＣＧ）と呼称される。
【０１５３】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１５４】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１５５】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１５６】
ＰＣｅｌｌまたはＰＳＣｅｌｌでは、ＳＰＳ（Semi-Persistent  Scheduling）やＤＲＸ（Discontinuous  Transmission）を行ってもよい。セカンダリーセルでは、同じセルグループのＰＣｅｌｌまたはＰＳＣｅｌｌと同じＤＲＸを行ってもよい。
【０１５７】
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１５８】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１５９】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１６０】
＜１．７．リソースの割り当て＞
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１６１】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１６２】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１６３】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１６４】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１６５】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１６６】
＜１．８．エラー訂正＞
＜本実施形態におけるＨＡＲＱ＞
本実施形態において、ＨＡＲＱは様々な特徴を有する。ＨＡＲＱはトランスポートブロックを送信および再送する。ＨＡＲＱにおいて、所定数のプロセス（ＨＡＲＱプロセス）が用いられ（設定され）、プロセスのそれぞれはストップアンドウェイト方式で独立に動作する。
【０１６７】
下りリンクにおいて、ＨＡＲＱは非同期であり、適応的に動作する。すなわち、下りリンクにおいて、再送は常にＰＤＣＣＨを通じてスケジューリングされる。下りリンク送信に対応する上りリンクＨＡＲＱ−ＡＣＫ（応答情報）はＰＵＣＣＨまたはＰＵＳＣＨで送信される。下りリンクにおいて、ＰＤＣＣＨは、そのＨＡＲＱプロセスを示すＨＡＲＱプロセス番号、および、その送信が初送か再送かを示す情報を通知する。
【０１６８】
上りリンクにおいて、ＨＡＲＱは同期または非同期に動作する。上りリンク送信に対応する下りリンクＨＡＲＱ−ＡＣＫ（応答情報）はＰＨＩＣＨで送信される。上りリンクＨＡＲＱにおいて、端末装置の動作は、その端末装置によって受信されるＨＡＲＱフィードバックおよび／またはその端末装置によって受信されるＰＤＣＣＨに基づいて決まる。例えば、ＰＤＣＣＨは受信されず、ＨＡＲＱフィードバックがＡＣＫである場合、端末装置は送信（再送）を行わず、ＨＡＲＱバッファ内のデータを保持する。その場合、ＰＤＣＣＨが再送を再開するために送信されるかもしれない。また、例えば、ＰＤＣＣＨは受信されず、ＨＡＲＱフィードバックがＮＡＣＫである場合、端末装置は所定の上りリンクサブフレームで非適応的に再送を行う。また、例えば、ＰＤＣＣＨが受信された場合、ＨＡＲＱフィードバックの内容に関わらず、端末装置はそのＰＤＣＣＨで通知される内容に基づいて、送信または再送を行う。
【０１６９】
なお、上りリンクにおいて、所定の条件（設定）を満たした場合、ＨＡＲＱは非同期のみで動作するようにしてもよい。すなわち、下りリンクＨＡＲＱ−ＡＣＫは送信されず、上りリンクにおける再送は常にＰＤＣＣＨを通じてスケジューリングされてもよい。
【０１７０】
ＨＡＲＱ−ＡＣＫ報告において、ＨＡＲＱ−ＡＣＫは、ＡＣＫ、ＮＡＣＫ、またはＤＴＸを示す。ＨＡＲＱ−ＡＣＫがＡＣＫである場合、そのＨＡＲＱ−ＡＣＫに対応するトランスポートブロック（コードワード、チャネル）は正しく受信（デコード）できたことを示す。ＨＡＲＱ−ＡＣＫがＮＡＣＫである場合、そのＨＡＲＱ−ＡＣＫに対応するトランスポートブロック（コードワード、チャネル）は正しく受信（デコード）できなかったことを示す。ＨＡＲＱ−ＡＣＫがＤＴＸである場合、そのＨＡＲＱ−ＡＣＫに対応するトランスポートブロック（コードワード、チャネル）は存在しない（送信されていない）ことを示す。
【０１７１】
下りリンクおよび上りリンクのそれぞれにおいて、所定数のＨＡＲＱプロセスが設定（規定）される。例えば、ＦＤＤにおいて、サービングセル毎に最大８つのＨＡＲＱプロセスが用いられる。また、例えば、ＴＤＤにおいて、ＨＡＲＱプロセスの最大数は、上りリンク／下りリンク設定によって決定される。ＨＡＲＱプロセスの最大数は、ＲＴＴ（Round  Trip  Time）に基づいて決定されてもよい。例えば、ＲＴＴが８ＴＴＩである場合、ＨＡＲＱプロセスの最大数は８にすることができる。
【０１７２】
本実施形態において、ＨＡＲＱ情報は、少なくともＮＤＩ（New  Data  Indicator）およびＴＢＳ（トランスポートブロックサイズ）で構成される。ＮＤＩは、そのＨＡＲＱ情報に対応するトランスポートブロックが初送か再送かを示す情報である。ＴＢＳはトランスポートブロックのサイズである。トランスポートブロックは、トランスポートチャネル（トランスポートレイヤー）におけるデータのブロックであり、ＨＡＲＱを行う単位とすることができる。ＤＬ−ＳＣＨ送信において、ＨＡＲＱ情報は、さらにＨＡＲＱプロセスＩＤ（ＨＡＲＱプロセス番号）を含む。ＵＬ−ＳＣＨ送信において、ＨＡＲＱ情報は、さらにトランスポートブロックに対する符号化後の情報ビットとパリティビットを指定するための情報であるＲＶ（Redundancy  Version）を含む。ＤＬ−ＳＣＨにおいて空間多重の場合、そのＨＡＲＱ情報は、それぞれのトランスポートブロックに対してＮＤＩおよびＴＢＳのセットを含む。
【０１７３】
＜１．９．リソースエレメントマッピング＞
＜本実施形態におけるＬＴＥの下りリンクリソースエレメントマッピングの詳細＞
図１２は、本実施形態におけるＬＴＥの下りリンクリソースエレメントマッピングの一例を示す図である。この例では、１つのリソースブロックおよび１つのスロットのＯＦＤＭシンボル数が７である場合において、１つのリソースブロックペアにおけるリソースエレメントの集合が示されている。また、リソースブロックペア内の時間方向に前半の７つのＯＦＤＭシンボルは、スロット０（第１のスロット）とも呼称される。リソースブロックペア内の時間方向に後半の７つのＯＦＤＭシンボルは、スロット１（第２のスロット）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。なお、本実施形態の説明では、リソースエレメント（ｋ，ｌ）は、サブキャリア番号ｋとＯＦＤＭシンボル番号ｌで示されるリソースエレメントである。
【０１７４】
Ｒ０〜Ｒ３で示されるリソースエレメントは、それぞれアンテナポート０〜３のセル固有参照信号を示す。以下では、アンテナポート０〜３のセル固有参照信号はＣＲＳ（Cell-specific  RS）とも呼称される。この例では、ＣＲＳが４つのアンテナポートの場合であるが、その数を変えることができる。例えば、ＣＲＳは、１つのアンテナポートまたは２つのアンテナポートを用いることができる。また、ＣＲＳは、セルＩＤに基づいて、周波数方向へシフトすることができる。例えば、ＣＲＳは、セルＩＤを６で割った余りに基づいて、周波数方向へシフトすることができる。
【０１７５】
Ｃ１〜Ｃ４で示されるリソースエレメントは、アンテナポート１５〜２２の伝送路状況測定用参照信号（ＣＳＩ−ＲＳ）を示す。Ｃ１〜Ｃ４で示されるリソースエレメントは、それぞれＣＤＭグループ１〜ＣＤＭグループ４のＣＳＩ−ＲＳを示す。ＣＳＩ−ＲＳは、Ｗａｌｓｈ符号を用いた直交系列（直交符号）と、擬似ランダム系列を用いたスクランブル符号とで構成される。また、ＣＳＩ−ＲＳは、ＣＤＭグループ内において、それぞれＷａｌｓｈ符号等の直交符号により符号分割多重される。また、ＣＳＩ−ＲＳは、ＣＤＭグループ間において、互いに周波数分割多重（ＦＤＭ）される。
【０１７６】
アンテナポート１５および１６のＣＳＩ−ＲＳはＣ１にマッピングされる。アンテナポート１７および１８のＣＳＩ−ＲＳはＣ２にマッピングされる。アンテナポート１９および２０のＣＳＩ−ＲＳはＣ３にマッピングされる。アンテナポート２１および２２のＣＳＩ−ＲＳはＣ４にマッピングされる。
【０１７７】
ＣＳＩ−ＲＳのアンテナポート数は複数規定される。ＣＳＩ−ＲＳは、アンテナポート１５〜２２の８つのアンテナポートに対応する参照信号として設定されることができる。また、ＣＳＩ−ＲＳは、アンテナポート１５〜１８の４つのアンテナポートに対応する参照信号として設定されることができる。また、ＣＳＩ−ＲＳは、アンテナポート１５〜１６の２つのアンテナポートに対応する参照信号として設定されることができる。また、ＣＳＩ−ＲＳは、アンテナポート１５の１つのアンテナポートに対応する参照信号として設定されることができる。ＣＳＩ−ＲＳは、一部のサブフレームにマッピングされることができ、例えば、複数のサブフレーム毎にマッピングされることができる。ＣＳＩ−ＲＳのリソースエレメントに対するマッピングパターンは複数規定される。また、基地局装置１は、端末装置２に対して、複数のＣＳＩ−ＲＳを設定することができる。
【０１７８】
ＣＳＩ−ＲＳは、送信電力をゼロにすることができる。送信電力がゼロのＣＳＩ−ＲＳは、ゼロパワーＣＳＩ−ＲＳとも呼称される。ゼロパワーＣＳＩ−ＲＳは、アンテナポート１５〜２２のＣＳＩ−ＲＳとは独立に設定される。なお、アンテナポート１５〜２２のＣＳＩ−ＲＳは、非ゼロパワーＣＳＩ−ＲＳとも呼称される。
【０１７９】
基地局装置１は、ＲＲＣシグナリングを通じて、端末装置２に対して固有の制御情報として、ＣＳＩ−ＲＳを設定する。端末装置２は、基地局装置１によりＲＲＣシグナリングを通じて、ＣＳＩ−ＲＳが設定される。また、端末装置２は、干渉電力を測定するためのリソースであるＣＳＩ−ＩＭリソースが設定されることができる。端末装置２は、基地局装置１からの設定に基づいて、ＣＲＳ、ＣＳＩ−ＲＳおよび／またはＣＳＩ−ＩＭリソースを用いて、フィードバック情報を生成する。
【０１８０】
Ｄ１〜Ｄ２で示されるリソースエレメントは、それぞれＣＤＭグループ１〜ＣＤＭグループ２のＤＬ−ＤＭＲＳを示す。ＤＬ−ＤＭＲＳは、Ｗａｌｓｈ符号を用いた直交系列（直交符号）と、擬似ランダム系列によるスクランブル系列とを用いて構成される。また、ＤＬ−ＤＭＲＳは、アンテナポート毎に独立であり、それぞれのリソースブロックペア内で多重できる。ＤＬ−ＤＭＲＳは、ＣＤＭおよび／またはＦＤＭにより、アンテナポート間で互いに直交関係にある。ＤＬ−ＤＭＲＳは、ＣＤＭグループ内において、それぞれ直交符号によりＣＤＭされる。ＤＬ−ＤＭＲＳは、ＣＤＭグループ間において、互いにＦＤＭされる。同じＣＤＭグループにおけるＤＬ−ＤＭＲＳは、それぞれ同じリソースエレメントにマッピングされる。同じＣＤＭグループにおけるＤＬ−ＤＭＲＳは、アンテナポート間でそれぞれ異なる直交系列が用いられ、それらの直交系列は互いに直交関係にある。ＰＤＳＣＨ用のＤＬ−ＤＭＲＳは、８つのアンテナポート（アンテナポート７〜１４）の一部または全部を用いることができる。つまり、ＤＬ−ＤＭＲＳに関連付けられるＰＤＳＣＨは、最大８ランクまでのＭＩＭＯ送信ができる。ＥＰＤＣＣＨ用のＤＬ−ＤＭＲＳは、４つのアンテナポート（アンテナポート１０７〜１１０）の一部または全部を用いることができる。また、ＤＬ−ＤＭＲＳは、関連付けられるチャネルのランク数に応じて、ＣＤＭの拡散符号長やマッピングされるリソースエレメントの数を変えることができる。
【０１８１】
アンテナポート７、８、１１および１３で送信するＰＤＳＣＨ用のＤＬ−ＤＭＲＳは、Ｄ１で示されるリソースエレメントにマッピングされる。アンテナポート９、１０、１２および１４で送信するＰＤＳＣＨ用のＤＬ−ＤＭＲＳは、Ｄ２で示されるリソースエレメントにマッピングされる。また、アンテナポート１０７および１０８で送信するＥＰＤＣＣＨ用のＤＬ−ＤＭＲＳは、Ｄ１で示されるリソースエレメントにマッピングされる。アンテナポート１０９および１１０で送信するＥＰＤＣＣＨ用のＤＬ−ＤＭＲＳは、Ｄ２で示されるリソースエレメントにマッピングされる。
【０１８２】
＜本実施形態におけるＮＲの下りリンクリソースエレメントマッピングの詳細＞
図１３は、本実施形態におけるＮＲの下りリンクリソースエレメントマッピングの一例を示す図である。図１３は、パラメータセット０が用いられる場合に、所定のリソースにおけるリソースエレメントの集合を示す。図１３に示される所定のリソースは、ＬＴＥにおける１つのリソースブロックペアと同じ時間長および周波数帯域幅から成るリソースである。
【０１８３】
ＮＲにおいて、所定のリソースは、ＮＲ−ＲＢ（ＮＲリソースブロック）とも呼称される。所定のリソースは、ＮＲ−ＰＤＳＣＨまたはＮＲ−ＰＤＣＣＨの割り当ての単位、所定のチャネルまたは所定の信号のリソースエレメントに対するマッピングの定義を行う単位、または、パラメータセットが設定される単位などに用いることができる。
【０１８４】
図１３の例では、所定のリソースは、時間方向においてＯＦＤＭシンボル番号０〜１３で示される１４個のＯＦＤＭシンボル、および、周波数方向においてサブキャリア番号０〜１１で示される１２個のサブキャリアで構成される。システム帯域幅が複数の所定のリソースで構成される場合、サブキャリア番号はそのシステム帯域幅に渡って割り当てる。
【０１８５】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１８６】
図１４は、本実施形態におけるＮＲの下りリンクリソースエレメントマッピングの一例を示す図である。図１４は、パラメータセット１が用いられる場合に、所定のリソースにおけるリソースエレメントの集合を示す。図１４に示される所定のリソースは、ＬＴＥにおける１つのリソースブロックペアと同じ時間長および周波数帯域幅から成るリソースである。
【０１８７】
図１４の例では、所定のリソースは、時間方向においてＯＦＤＭシンボル番号０〜６で示される７個のＯＦＤＭシンボル、および、周波数方向においてサブキャリア番号０〜２３で示される２４個のサブキャリアで構成される。システム帯域幅が複数の所定のリソースで構成される場合、サブキャリア番号はそのシステム帯域幅に渡って割り当てる。
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１８８】
図１５は、本実施形態におけるＮＲの下りリンクリソースエレメントマッピングの一例を示す図である。図１５は、パラメータセット１が用いられる場合に、所定のリソースにおけるリソースエレメントの集合を示す。図１５に示される所定のリソースは、ＬＴＥにおける１つのリソースブロックペアと同じ時間長および周波数帯域幅から成るリソースである。
【０１８９】
図１５の例では、所定のリソースは、時間方向においてＯＦＤＭシンボル番号０〜２７で示される２８個のＯＦＤＭシンボル、および、周波数方向においてサブキャリア番号０〜６で示される６個のサブキャリアで構成される。システム帯域幅が複数の所定のリソースで構成される場合、サブキャリア番号はそのシステム帯域幅に渡って割り当てる。
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１９０】
＜１．１０．自己完結型送信＞
＜本実施形態におけるＮＲの自己完結型送信の詳細＞
ＮＲでは、物理チャネルおよび／または物理信号を自己完結型送信（self-contained
transmission）によって送信することができる。図１６に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１９１】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１９２】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１９３】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均してはいけない。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１９４】
＜１．１１．技術的特徴＞
＜本実施形態におけるＮＲ端末装置のサポート受信帯域幅＞
ＬＴＥにおいて、所定の端末カテゴリを除いて、端末装置がセルに接続するためには、当該セルで用いられるシステム帯域幅をサポートする必要がある。具体的な一例として、セルが２０ＭＨｚのシステム帯域幅で運用される場合には、端末装置も２０ＭＨｚの受信帯域幅をサポートすることでそのセルに接続することが可能となる。一方で、端末装置が２０ＭＨｚ未満の受信帯域幅しかサポートできていない場合には、当該端末装置は、当該セルに接続することが困難となる。
【０１９５】
一方で、ＮＲにおいては、端末装置は、システム帯域幅を必ずしもサポートしなくてもよい。具体的には、基地局（セル）が２０ＭＨｚのシステム帯域幅で運用され、かつ端末装置が１０ＭＨｚ以上の受信帯域幅をサポートしていない場合においても、ＮＲでは、当該端末装置は当該セルに接続し、通信に必要な物理層パラメータの制御を行う下りリンクチャネル（ＰＤＣＣＨ）、および、下りリンクデータ（ＰＤＳＣＨ）を受信することが可能となる。これにより、端末装置の受信帯域幅の柔軟な設計が可能となり、端末装置の製造コストを低減させることが可能となる。
【０１９６】
また、ＮＲにおける端末装置が受信する中心周波数は、端末装置個別に決定および／または設定されてもよい。図１７は、ＮＲにおける端末装置の受信帯域の一例について説明するための説明図である。
【０１９７】
図１７において（ａ）として示した例は、複数の端末装置間において受信帯域の中心周波数が略一致する場合の一例を示している。複数の端末装置の受信帯域の中心周波数としては、例えば、ＮＲキャリアの中心周波数、端末装置間で共通に送信されるＮＲ−ＰＳＳ／ＮＲ−ＳＳＳの中心周波数、端末装置間において共通に送信されるＮＲ−ＰＳＳ／ＮＲ−ＳＳＳの中心周波数から端末共通に通知される周波数オフセットに基づいた周波数位置、ＤＣキャリアによって送信されていないサブキャリア、ＲＲＣ層などの上位層から設定された周波数位置、等が挙げられる。図１７において（ａ）として示した例のように、端末装置の受信帯域幅が異なる場合には、一方の端末装置のみが受信できる周波数帯域が発生する。そのため、このような場合には、接続に必須な下りリンク物理チャネルおよび／または下りリンク物理信号がその周波数帯域に割り当てられないような制御が必要となる。
【０１９８】
また、図１７において（ｂ）として示した例は、複数の端末装置間において受信帯域の中心周波数が異なる場合の一例を示している。複数の端末装置それぞれの受信帯域の中心周波数としては、例えば、端末装置それぞれに個別に送信されるＮＲ−ＰＳＳ／ＮＲ−ＳＳＳの中心周波数、端末装置間において共通に送信されるＮＲ−ＰＳＳ／ＮＲ−ＳＳＳの中心周波数から端末装置それぞれに個別に通知された周波数オフセット情報に基づいた周波数位置、ＲＲＣ層などの上位層から設定された周波数位置、等が挙げられる。図１７において（ｂ）として示した例のように、端末装置の受信帯域幅が同じであっても、受信帯域の中心周波数が異なる場合には、（ａ）として示した例と同様の問題が発生する。そのため、（ｂ）として示した例においても、上述したような（ａ）として示した例と同様の制御が必要となる。
【０１９９】
端末装置は、ＮＲ−ＰＳＳ／ＮＲ−ＳＳＳと、基地局装置から通知された情報とに基づき、当該端末装置が下りリンク物理チャネルおよび下りリンク物理信号を受信することが可能な周波数帯域を特定する。
【０２００】
端末装置は、サポートされる受信帯域幅の範囲内において、受信する帯域幅を動的に変更してもよい。例えば、端末装置は、初期アクセスからＲＲＣ接続が確立されるまでは、５ＭＨｚの帯域幅で下りリンク物理チャネルおよび下りリンク物理信号を受信し、ＲＲＣ接続が確立された後は、２０ＭＨｚの帯域幅で下りリンク物理チャネルおよび下りリンク物理信号を受信してもよい。このとき、端末装置は、例えば、ＲＲＣメッセージによる指示に基づき、受信する帯域幅の切り替えを行ってもよい。また、他の一例として、端末装置は、端末装置間で共通に受信可能な帯域幅を用いたＮＲ−ＰＤＣＣＨを利用した指示に基づき、受信する帯域幅の切り替えを行ってもよい。また、他の一例として、端末装置は、ランダムアクセスレスポンスの情報に基づき、受信する帯域幅の切り替えを行ってもよい。また、他の一例として、端末装置は、ランダムアクセスの完了を通知するコンテンションレゾリューションの情報に基づき、受信する帯域幅の切り替えを行ってもよい。
【０２０１】
また、端末装置は、当該端末装置が受信する周波数帯域の中心周波数を動的に変更してもよい。例えば、端末装置は、初期アクセスからＲＲＣ接続が確立されるまでは、ＮＲ−ＰＳＳ／ＮＲ−ＳＳＳの中心周波数を受信帯域の中心周波数とし、ＲＲＣ接続が確立された後は、ＲＲＣ層によって指示された中心周波数を受信帯域の中心周波数としてもよい。このとき、端末装置は、例えば、ＲＲＣメッセージによる指示に基づき、受信する帯域の中心周波数の切り替えを行ってもよい。また、他の一例として、端末装置は、複数の端末装置間で共通に受信可能な帯域幅を用いたＮＲ−ＰＤＣＣＨを利用した指示に基づき、受信する帯域の中心周波数の切り替えを行ってもよい。また、他の一例として、端末装置は、ランダムアクセスレスポンスの情報に基づき、受信する帯域の中心周波数の切り替えを行ってもよい。また、他の一例として、端末装置は、ランダムアクセスの完了を通知するコンテンションレゾリューションの情報に基づき、受信する帯域の中心周波数の切り替えを行ってもよい。
【０２０２】
端末装置が受信する周波数帯域の帯域幅および／または中心周波数の変更を指示する情報は、例えば、中心周波数および／または帯域幅の情報、リソースブロックの情報、所定のホッピングパターンを示す情報、などが挙げられる。
【０２０３】
＜本実施形態における端末装置共通の帯域と端末装置個別の帯域＞
複数の端末装置間において共通に受信される帯域とは、そのセルまたはキャリアに初期接続する際に、端末装置が少なくとも一度は受信を行う帯域である。一方で、端末装置個別に受信される帯域とは、そのセルまたはキャリアに初期接続する際に、端末装置が少なくとも一度は受信を行う帯域以外の帯域である。
【０２０４】
複数の端末装置間において共通に受信される帯域とは、ＲＲＣの接続が確立していない端末装置（ＲＲＣアイドル状態の端末装置）が受信可能な帯域である。一方で、端末装置個別に受信される帯域とは、ＲＲＣの接続が確立していない端末装置は受信不可能な帯域であり、ＲＲＣの接続が確立している端末装置（ＲＲＣ接続状態の端末装置）が受信可能な帯域である。
【０２０５】
複数の端末装置間において共通に受信される帯域には、複数の端末装置間において共通に既知な参照信号が配置される。具体的には、その参照信号は、システム情報および／または予め設定された情報のみでシンボルの系列が構成される。端末装置個別に受信される帯域には、端末装置個別に通知された既知な参照信号が配置される。具体的には、その参照信号は、ＲＲＣ層などの上位層から端末装置個別に設定された情報（例えば、端末装置識別子、ＲＮＴＩ、など）でシンボルの系列が構成される。
【０２０６】
複数の端末装置間において共通に受信される帯域には、同期信号（例えば、ＮＲ−ＰＳＳ／ＳＳＳ）が配置されることが好ましい。複数の端末装置間において共通に受信される帯域には、システム情報、ランダムアクセスレスポンス、または、ページングを含んだ報知チャネルやＮＲ−ＰＤＳＣＨが配置されることが好ましい。
【０２０７】
なお、複数の端末装置間において共通に受信される帯域と、端末装置個別に受信される帯域とで、物理パラメータが異なってもよい。例えば、複数の端末装置間において共通に受信される帯域は、サブキャリア間隔がデフォルト間隔（例えば、１５ｋＨｚ）で送受信され、端末装置個別に受信される帯域は、サブキャリア間隔がデフォルト周波数とは異なるサブキャリア間隔（例えば、３０ｋＨｚ）で送受信される。
【０２０８】
なお、複数の端末装置間において共通に受信される帯域は、アンカー帯域と称されてもよい。
【０２０９】
なお、複数の端末装置間において共通に受信される帯域、および、端末装置個別に受信される帯域は、周波数部分（Frequency portion）や周波数リソースグループ（Frequency
Resource Group:FRG）と称されてもよい。
【０２１０】
＜本実施形態におけるＮＲ−ＰＤＣＣＨの詳細＞
ＮＲ−ＰＤＣＣＨは、所定の端末装置に対してのＮＲ−ＰＤＳＣＨのスケジューリングのために用いられる。また、ＮＲ−ＰＤＣＣＨは、所定の端末装置に対してのＮＲ−ＰＵＳＣＨのスケジュールのために用いられる。ＮＲ−ＰＤＣＣＨは、所定の端末装置または端末装置グループに対しての物理層における制御を行うために用いられる。ＮＲにおける端末装置は、ＮＲ−ＰＤＳＣＨの受信、ＮＲ−ＰＵＳＣＨの送信、および物理層における制御情報の受信、のそれぞれを行うためにＮＲ−ＰＤＣＣＨの受信を試みる。
【０２１１】
端末装置は、基地局装置から、ＮＲ−ＰＤＣＣＨをモニタおよび受信するために必要なパラメータリストが設定される。パラメータリストは、時間軸のリソースを示す情報、周波数軸のリソースを示す情報、空間軸のリソースを示す情報、符号軸のリソースを示す情報、ＭＣＳ（Modulation  and  Coding  Scheme）、及びＮＲ−ＰＤＣＣＨの論理パラメータに関する情報、のうちの全部または一部の情報を含む。
【０２１２】
ＮＲ−ＰＤＣＣＨの時間軸および／または周波数軸のリソースを柔軟に変更できることで、基地局装置は、柔軟にＮＲ−ＰＤＣＣＨを配置することが可能となる。そのため、基地局装置は、さまざまなユースケースに対応する物理パラメータセットの異なる、ＮＲやＬＴＥ等の異なるＲＡＴ（Radio  Access  Technology）を１つのＮＲキャリアに収納することが可能となる。そして、基地局装置が端末装置に対して、そのＮＲ−ＰＤＣＣＨの時間軸および／または周波数軸のリソースに関する情報を通知することで、当該端末装置は、当該基地局装置が提供する一部の帯域において少なくとも下りリンクの通信が可能となる。
【０２１３】
ＮＲ−ＰＤＣＣＨの時間軸のリソースを示す情報としては、例えば、シンボル数および／またはサブフレーム数、ＮＲ−ＰＤＣＣＨの配置が開始または終了を示すシンボル、ＮＲ−ＰＤＣＣＨのモニタリングを行う周期またはサブフレームパターン、ならびにＮＲ−ＰＤＣＣＨのリピティション回数、等が挙げられる。
【０２１４】
ＮＲ−ＰＤＣＣＨの周波数軸のリソースを示す情報としては、例えば、リソースブロック数およびリソースブロック割当情報、等が挙げられる。
【０２１５】
ＮＲ−ＰＤＣＣＨの空間軸のリソースを示す情報としては、例えば、ＮＲ−ＰＤＣＣＨが送信されるアンテナ数および／またはアンテナポート、等が挙げられる。
【０２１６】
ＮＲ−ＰＤＣＣＨの符号軸のリソースを示す情報としては、例えば、ＮＲ−ＰＤＣＣＨおよびＮＲ−ＰＤＣＣＨに関連付けられる復調参照信号のスクランブルパターンまたはスクランブルＩＤ、等が挙げられる。
【０２１７】
ＮＲシステムの物理パラメータに関する情報としては、例えば、サブフレーム長、無線フレーム長、シンボル長、サイクリックプレフィックス長、及びサブキャリア間隔、等が挙げられる。
【０２１８】
ＮＲ−ＰＤＣＣＨの論理パラメータに関する情報としては、１つのＮＲ−ＣＣＥに含まれるＮＲ−ＲＥＧ数、１つのＮＲ−ＰＤＣＣＨフォーマットに含まれるＮＲ−ＣＣＥ数、各サーチスペースにおけるＣＣＥの開始位置、ブラインドでコーディングにおけるＮＲ−ＰＤＣＣＨの候補数、ならびに局所的配置または分散的配置を示す情報、等が挙げられる。
【０２１９】
ＮＲ−ＰＤＣＣＨは、端末装置間で共通に受信することが可能となるように設定される領域と、端末装置それぞれが個別に受信することが可能となるように設定される領域と、に分けることが可能である。
【０２２０】
なお、そのパラメータリストは、端末装置間で共通に設定されるパラメータリストと、端末装置それぞれに個別に設定されるパラメータリストと、に分けられてもよい。さらに、所定のパラメータは、端末装置間で共通のパラメータと、端末装置それぞれに個別のパラメータの２つが設定されてもよい。
【０２２１】
なお、ＮＲ−ＰＤＣＣＨのサーチスペースの開始位置は、物理チャネルの内容（例えば論理物理チャネル、フォーマット、およびメッセージタイプの少なくともいずれか）によって異なってもよい。例えば、ＮＲ−ＤＬ−ＳＣＨを運ぶＮＲ−ＰＤＳＣＨをスケジュールするＮＲ−ＰＤＣＣＨと、ＮＲ−ＳＩＢを運ぶＮＲ−ＰＤＳＣＨをスケジュールするＮＲ−ＰＤＣＣＨと、の間でＮＲ−ＰＤＣＣＨのサーチスペースの開始位置が異なってもよい。また、例えば、ＮＲ−ＳＩＢ１を運ぶＮＲ−ＰＤＳＣＨをスケジュールするＮＲ−ＰＤＣＣＨと、ＮＲ−ＳＩＢ２を運ぶＮＲ−ＰＤＳＣＨをスケジュールするＮＲ−ＰＤＣＣＨと、の間でＮＲ−ＰＤＣＣＨのサーチスペースの開始位置が異なってもよい。
【０２２２】
端末装置間において共通なＮＲ−ＰＤＣＣＨ領域と、端末装置それぞれに個別なＮＲ−ＰＤＣＣＨ領域と、を分離する方法としては、１つのＮＲ−ＰＤＣＣＨの中の論理パラメータで分離した後に所定の手順を用いて物理層へマップする方法と、独立なＮＲ−ＰＤＣＣＨを複数設定する方法の少なくとも２種類がある。
【０２２３】
＜本実施形態におけるＮＲ−ＰＤＣＣＨの第１のマッピング方法＞
以下では、本実施形態におけるＮＲ−ＰＤＣＣＨのマッピング方法の一例として、論理パラメータで分離する方法の一例について詳細に説明する。
【０２２４】
ＮＲにおける下りリンク物理制御チャネル（ＮＲ−ＰＤＣＣＨ）の実施形態の１つとして、ＮＲ−ＰＤＣＣＨを構成する論理制御チャネルエレメントであるＮＲ−ＣＣＥは、複数の端末装置間において共通な周波数帯域にマッピングされるＮＲ−ＣＣＥ群（第１のＮＲ−ＣＣＥ群）と端末装置それぞれに個別な周波数帯域にマッピングされるＮＲ−ＣＣＥ群（第２のＮＲ−ＣＣＥ群）に分けられる。
【０２２５】
図１８は、ＮＲ−ＣＣＥの構成とＮＲ−ＰＤＣＣＨへのマッピングとの一例について説明するための説明図である。図１８において、ＮＲ−ＣＣＥ＃０からＮＲ−ＣＣＥ＃３は、複数の端末装置間において共通な周波数帯域（換言すると、複数の端末装置間において共通な領域）にマッピングされ、ＮＲ−ＣＣＥ＃４からＮＲ−ＣＣＥ＃７は端末装置それぞれに個別な領域にマッピングされる。ここで、複数の端末装置間において共通な周波数帯域とは、サポート受信帯域幅が互いに異なる端末装置間においても、そのＮＲキャリアに接続される複数の端末装置間において共通に受信することが可能な帯域幅である。また、端末装置それぞれに個別な周波数帯域とは、所定の端末装置または端末装置グループのみが受信することが可能な帯域幅である。複数の端末装置間において共通なサーチスペースは、複数の端末装置間において共通な周波数帯域にマッピングされるＮＲ−ＣＣＥ群のみに配置される。また、端末装置それぞれに固有なサーチスペースは、全てのＮＲ−ＣＣＥに配置され得る。そのため、例えば、図１８に示す例では、第１の端末装置の受信帯域幅と第２の端末装置の受信帯域幅が重なる帯域幅にＮＲ−ＣＣＥ＃０から＃３がマップされたＮＲ−ＰＤＣＣＨが配置されている。一方で、第２の端末装置のみが受信できる帯域幅には、ＮＲ−ＣＣＥ＃４から＃７がマップされたＮＲ−ＰＤＣＣＨが配置されている。
【０２２６】
図１９は、ＮＲ−ＣＣＥのＮＲ−ＰＤＣＣＨへのマッピングの一例について説明するための説明図である。図１９に示す例では、第１の端末装置と第２の端末装置とのそれぞれは、システム帯域幅の中心周波数を受信する。また、第２の端末装置は、第１の端末装置よりも広い受信帯域幅をサポートしている。第１の端末装置は、ＮＲ−ＣＣＥ＃０からＮＲ−ＣＣＥ＃３を用いてＮＲ−ＰＤＣＣＨを受信する。また、第２の端末装置は、ＮＲ−ＣＣＥ＃０からＮＲ−ＣＣＥ＃７を用いてＮＲ−ＰＤＣＣＨを受信する。例えば、制御信号のオーバーヘッド削減等の目的のために、ＮＲ−ＣＣＥ＃０からＮＲ−ＣＣＥ＃３については、第１の端末装置と第２の端末装置との間で共通のマッピングルールが用いられる。一方で、制御チャネルのカバレッジの拡張等の目的のために、ＮＲ−ＣＣＥ＃４からＮＲ−ＣＣＥ＃７を用いて第２の端末装置宛のＮＲ−ＰＤＣＣＨを送信することが可能である。
【０２２７】
さらに、第１の端末装置のＮＲ−ＰＤＣＣＨのカバレッジ拡張などの目的のために、第１の端末装置の制御情報がマッピングされるＮＲ−ＣＣＥを、ＮＲ−ＣＣＥ＃７まで拡張することも可能である。この場合には、ＮＲ−ＣＣＥ＃４から＃７のＮＲ−ＰＤＣＣＨへのマッピングルールは、第１の端末装置と第２の端末装置との間で異ならせることも可能である。図２０は、ＮＲ−ＣＣＥのＮＲ−ＰＤＣＣＨへのマッピングの一例について説明するための説明図である。図２０に示す例では、第１の端末装置のＮＲ−ＣＣＥ＃４から＃７は、周波数方向に配置することが困難であるため、時間軸にシフトして配置している。これにより、第１の端末装置のＮＲ−ＰＤＣＣＨのカバレッジを拡張することが可能となる。
【０２２８】
ＮＲ−ＰＤＣＣＨの第１のマッピング方法においては、（式１）及び（式２）として前述したＮＣＣＥ,ｋおよびＮＥＣＣＥ,ｐ,ｋは端末装置それぞれに対して個別に設定される。具体的な一例として、ＮＣＣＥ,ｋおよびＮＥＣＣＥ,ｐ,ｋは、端末装置が受信可能な帯域幅に基づいて決定される。
【０２２９】
ここで、以下に、本実施形態における、論理−物理マッピングの一例について説明する。例えば、ＮＲ−ＣＣＥは、ＮＲキャリアの中心周波数を基点として、当該基点から周波数軸に沿って離間するように順次マッピングされてもよい。例えば、ＮＲ−ＣＣＥは、図１９及び図２０に示すようにマッピングされる。ここで、ＮＲキャリアの中心としては、例えば、ＲＲＣ層によって指示されたＮＲキャリアの中心周波数の情報（CenterFreq）、ＮＲ−ＰＳＳおよび／またはＮＲ−ＳＳＳの信号の中心、ならびにＤＣキャリア、が挙げられる。
【０２３０】
端末装置における中心周波数の検出方法の一例としては、ＮＲ−ＰＳＳおよび／またはＮＲ−ＳＳＳの検出に基づいて、中心周波数を検出する方法が挙げられる。この場合には、端末装置は、ＮＲ−ＰＳＳおよび／またはＮＲ−ＳＳＳの信号系列からＮＲ−ＰＳＳおよび／またはＮＲ−ＳＳＳの中心を検出する。このとき、端末装置は、当該ＮＲ−ＰＳＳおよび／またはＮＲ−ＳＳＳの中心をＮＲキャリアの中心であると想定する。また、端末装置における中心周波数の検出方法の他の一例として、ＤＣキャリアとして信号が送信されていないサブキャリアに基づいて、中心周波数を検出する方法が挙げられる。この場合には、端末装置は、１つのＮＲキャリアのうちの送信が行われていない（即ち、ゼロ電力で送信が行われている）サブキャリアを検出し、当該サブキャリアの中心をＮＲキャリアの中心であると想定する。なお、ＮＲキャリアの中心周波数の情報は、ＮＲ−ＭＩＢによって端末装置に通知されてもよい。
【０２３１】
上述したように、ＮＲ−ＣＣＥが、ＮＲキャリアの中心周波数を基点として、当該基点から周波数軸に沿って離間するように順次マッピングされることで、局所的な送信と分散的な送信との両立を実現することが可能となる。具体的な一例として、インデックスの小さいＮＲ−ＣＣＥを用いてＮＲ−ＰＤＣＣＨを送信することで、周波数的に局所な送信を実現することが可能となり、ビームフォーミングなどの空間制御が容易になる。一方で、インデックスの大きいＮＲ−ＣＣＥを用いてＮＲ−ＰＤＣＣＨを送信することで、周波数的に分散された送信を実現することが可能となり、周波数ダイバーシティを得やすくなる。
【０２３２】
また、以下に、本実施形態における、論理−物理マッピングの他の一例について説明する。例えば、ＮＲ−ＣＣＥは、複数の端末装置間において共通な帯域幅の中心を基点として、当該基点から周波数軸に沿って離間するように順次マッピングされてもよい。複数の端末装置間において共通な帯域幅の中心としては、例えば、ＲＲＣ層によって指示されたＮＲキャリアの中心周波数の情報（CenterFreq）、ならびにＮＲ−ＰＳＳおよび／またはＮＲ−ＳＳＳの信号の中心、等が挙げられる。
【０２３３】
また、以下に、本実施形態における、論理−物理マッピングの他の一例について説明する。例えば、ＮＲ−ＣＣＥは、ＮＲ−ＭＩＢの情報に基づいてマッピングされてもよい。具体的には、ＮＲ−ＭＩＢにより端末装置間において共通に受信可能な帯域幅の情報が当該端末装置に通知され、当該帯域幅からＮＲ−ＣＣＥが順次マッピングされる。なお、ＮＲ−ＣＣＥは、専用ＲＲＣ層の情報に基づいてマッピングされてもよい。
【０２３４】
なお、上述した論理−物理マッピングの一例は、複数の例が組み合わせて用いられてもよい。例えば、端末装置間において共通の周波数帯域への論理−物理マッピングにおいて、端末装置間に共通に受信される帯域幅にマッピングされるＮＲ−ＣＣＥは、その帯域幅の中心を基点として、当該基点から周波数軸に沿って離間するように順次マッピングされてもよい。また、このとき端末装置それぞれに個別に受信される帯域幅については、ＲＲＣ層などの上位層からの情報に基づいてマッピングされてもよい。
【０２３５】
なお、ＮＲ−ＣＣＥは、所定の帯域幅および／または区間において、インターリーブされた後にリソースエレメントまたはリソースエレメントグループにマッピングされてもよい。具体的には、端末装置間において共通に受信可能な帯域幅および／または区間にマッピングされるＮＲ−ＣＣＥは、端末装置間において共通に受信可能な帯域幅および／または区間において、インターリーブされた後にリソースエレメントまたはリソースエレメントグループにマッピングされてもよい。また、端末装置それぞれに個別に受信される帯域幅および／または区間にマッピングされるＮＲ−ＣＣＥは、端末装置それぞれに個別に受信される帯域幅および／または区間において、インターリーブされた後にリソースエレメントまたはリソースエレメントグループにマップされてもよい。これにより、ＮＲ−ＰＤＣＣＨは周波数および／または時間方向へのダイバーシティを得ることができる。
【０２３６】
＜本実施形態におけるＮＲ−ＰＤＣＣＨの第２のマッピング方法＞
続いて、本実施形態におけるＮＲ−ＰＤＣＣＨのマッピング方法の他の一例として、物理パラメータで分離する方法の一例について詳細に説明する。
【０２３７】
ＮＲの下りリンク物理制御チャネル（ＮＲ−ＰＤＣＣＨ）の実施形態の１つとして、第１のＮＲ−ＰＤＣＣＨ領域（第１のＮＲ−ＰＤＣＣＨ  Ｓｅｔ）と、第２のＮＲ−ＰＤＣＣＨ領域（第２のＮＲ−ＰＤＣＣＨ  Ｓｅｔ）が設定される。
【０２３８】
図２１は、端末装置の受信帯域幅とＮＲ−ＰＤＣＣＨ領域との一例について説明するための説明図である。図２１において（ａ）として示した例では、第１の端末装置と第２の端末装置とは、システム帯域幅の中心周波数を受信している。また、第２の端末装置は、第１の端末装置よりも広い受信帯域幅をサポートしている。このとき、第１のＮＲ−ＰＤＣＣＨが割り当てられる領域（以降では、「第１のＮＲ−ＰＤＣＣＨ  Ｓｅｔ」とも称する）は、第１の端末装置と第２の端末装置との間で受信帯域幅が重複する周波数帯域に配置される。また、第１のＮＲ−ＰＤＣＣＨ  Ｓｅｔとは異なる第２のＮＲ−ＰＤＣＣＨ  Ｓｅｔがそれぞれの端末装置固有に配置される。なお、第２のＮＲ−ＰＤＣＣＨ  Ｓｅｔは、第２のＮＲ−ＰＤＣＣＨが割り当てられる領域に相当する。
【０２３９】
また図２１において（ｂ）として示した例は、端末装置の受信帯域幅とＮＲ−ＰＤＣＣＨ領域との他の一例について示している。（ｂ）として示す例は、（ａ）として示した例とは異なり、第１の端末装置の受信帯域幅の中心と第２の端末装置の受信帯域幅の中心とが異なるように設定されている。この場合においても、第１の端末装置の受信帯域と第２の端末装置の受信帯域とが重複する周波数帯域に第１のＮＲ−ＰＤＣＣＨ  Ｓｅｔが配置され、第１の端末装置のみが受信可能な周波数帯域、または第２の端末装置のみが受信可能な周波数帯域については、当該第１の端末装置および当該第２の端末装置それぞれに対応する第２のＮＲ−ＰＤＣＣＨ  Ｓｅｔが配置される。
【０２４０】
なお、図２１は、説明の簡略化のために２つの端末装置（即ち、第１の端末装置及び第２の端末装置）のみに着目して説明したが、端末装置が３つ以上存在する場合においても本実施形態を適用することは可能である。
【０２４１】
また、第１のＮＲ−ＰＤＣＣＨ領域は、そのＮＲセルに接続される端末装置間において共通にモニタおよび受信が可能となるように設定される。第１のＮＲ−ＰＤＣＣＨ領域には、例えば、ＣＳＳおよびＵＳＳが配置される。
【０２４２】
第１のＮＲ−ＰＤＣＣＨ領域の設定の一例として、第１のＮＲ−ＰＤＣＣＨ領域は、例えば、ＮＲ−ＰＳＳ／ＮＲ−ＳＳＳを検出する際に得られる情報、ＮＲ−ＰＢＣＨを復号する際に得られる情報、およびＮＲ−ＭＩＢに含まれる情報等に基づいて設定されてもよい。この場合には、端末装置は、当該情報に基づいて第１のＮＲ−ＰＤＣＣＨの受信（モニタ）を試みる。
【０２４３】
また、第１のＮＲ−ＰＤＣＣＨ領域の設定の他の一例として、第１のＮＲ−ＰＤＣＣＨ領域は、端末装置間において共通に受信可能な帯域幅に配置されてもよい。この場合には、端末装置は、当該帯域幅に配置される第１のＮＲ−ＰＤＣＣＨの受信（モニタ）を試みる。なお、端末装置間において共通に受信可能な帯域幅は、例えば、端末装置間において共通に受信されるＮＲ−ＰＳＳ／ＮＲ−ＳＳＳが配置される帯域幅に相当し得る。
【０２４４】
ここで、ＮＲ−ＰＳＳ／ＮＲ−ＳＳＳを検出する際に得られる情報としては、例えば、当該ＮＲ−ＰＳＳ／ＮＲ−ＳＳＳを送信している送受信ポイント（ＴＲＰ、セル）および／またはビームの識別子（例えば、ＰＣＩ：Physical  Cell  Identity，ＶＣＩ：Virtial  Cell  Identity，ＴＲＰＩ：Transmission  and  Reception  Point  Identity，ＢＩ：Beam  Identity，Scramble  Identity）、および物理パラメータが挙げられる。当該物理パラメータとしては、具体的には、シンボル長、サイクリックプレフィックス（ＣＰ）長、サブキャリア間隔（ＳＣＳ：SubCarrier  Spacing）、無線フレーム長、及びサブフレーム長、等が挙げられる。
【０２４５】
ＮＲ−ＰＢＣＨを復号する際に得られる情報としては、例えば、ＮＲ−ＰＢＣＨが送信されるアンテナポート数、及びＳＦＮ（システムフレーム番号）、等が挙げられる。
【０２４６】
また、ＮＲの初期接続の際には、端末装置は、例えば、ＮＲ−ＰＤＣＣＨをモニタする前に、ＮＲ−ＰＢＣＨを復号することも可能である。そのため、ＮＲ−ＰＤＣＣＨの設定パラメータを、ＮＲ−ＰＢＣＨによって運ばれるＮＲ−ＭＩＢの中に含めることで、ＮＲ−ＰＤＣＣＨをシステムごとに柔軟に設定することが可能となる。
【０２４７】
第２のＮＲ−ＰＤＣＣＨ領域は、そのＮＲに接続される端末装置または端末装置グループ個別にモニタおよび受信が可能となるように設定される。第２のＮＲ−ＰＤＣＣＨ領域には、少なくともＵＳＳが配置される。なお、第２のＮＲ−ＰＤＣＣＨ領域に対して、ＣＳＳも配置されてもよい。
【０２４８】
第２のＮＲ−ＰＤＣＣＨ領域の設定の一例として、第２のＮＲ−ＰＤＣＣＨは、専用ＲＲＣメッセージ（Dedicated  RRC  message）によって端末装置それぞれに対して固有に通知されてもよい。この場合には、端末装置は、ＲＲＣメッセージに含まれる第２のＮＲ−ＰＤＣＣＨに関する情報に基づいて第２のＮＲ−ＰＤＣＣＨの受信を試みる。
【０２４９】
また、第２のＮＲ−ＰＤＣＣＨ領域の設定の他の一例として、第２のＮＲ−ＰＤＣＣＨは、第１のＮＲ−ＰＤＣＣＨによって通知されてもよい。この場合には、端末装置は、第１のＮＲ−ＰＤＣＣＨを先に受信を試みる。なお、端末装置は、当該端末装置宛の第１のＮＲ−ＰＤＣＣＨを復号できなかった場合には、当該ＮＲフレームにおいて下りリンクデータ（ＮＲ−ＰＤＳＣＨ）の受信を期待しない。一方で、端末装置は、当該端末装置宛の第１のＮＲ−ＰＤＣＣＨを復号できた場合は、当該第１のＮＲ−ＰＤＣＣＨに含まれる下りリンク制御情報から、第２のＮＲ−ＰＤＣＣＨを受信するために必要な情報を取得し、その情報に基づいて第２のＮＲ−ＰＤＣＣＨの復号を試みる。
【０２５０】
また、第２のＮＲ−ＰＤＣＣＨ領域の設定の他の一例として、第２のＮＲ−ＰＤＣＣＨはＮＲ−ＰＣＦＩＣＨによって通知されてもよい。
【０２５１】
また、第２のＮＲ−ＰＤＣＣＨ領域の設定の他の一例として、第２のＮＲ−ＰＤＣＣＨはＮＲ−ＳＩＢによって端末装置グループ固有に通知されてもよい。この場合には、当該ＮＲ−ＳＩＢは、第１のＮＲ−ＰＤＣＣＨでスケジュールされるＮＲ−ＰＤＳＣＨによって運ばれる。
【０２５２】
なお、端末装置は、第２のＮＲ−ＰＤＣＣＨのモニタリングの設定がされない場合には、少なくとも第１のＮＲ−ＰＤＣＣＨをモニタしてもよい。一方で、端末装置は、第２のＮＲ−ＰＤＣＣＨのモニタリングの設定がされた場合は、第１のＮＲ−ＰＤＣＣＨおよび第２のＮＲ−ＰＤＣＣＨをモニタしてもよい。なお、端末装置は、第２のＮＲ−ＰＤＣＣＨのモニタリングの設定がされた場合は、第１のＮＲ−ＰＤＣＣＨをモニタしなくてもよい。
【０２５３】
＜＜２．応用例＞＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。さらに、基地局装置１の少なくとも一部の構成要素は、基地局装置又は基地局装置のためのモジュールにおいて実現されてもよい。
【０２５４】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２の少なくとも一部の構成要素は、これら端末に搭載されるモジュール（例えば、１つのダイで構成される集積回路モジュール）において実現されてもよい。
【０２５５】
＜２．１．基地局に関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２５６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０２５７】
基地局装置８２０は、コントローラ８２１、メモリ８２２、ネットワークインタフェース８２３及び無線通信インタフェース８２５を備える。
【０２５８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２５９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２６０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２６１】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２６２】
図２２に示したｅＮＢ８００において、図８を参照して説明した上位層処理部１０１及び制御部１０３のうち１つ以上の構成要素は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２６３】
また、図２２に示したｅＮＢ８００において、図８を参照して説明した受信部１０５及び送信部１０７は、無線通信インタフェース８２５（例えば、ＲＦ回路８２７）において実装されてもよい。また、送受信アンテナ１０９は、アンテナ８１０において実装されてもよい。また、ネットワーク通信部１３０は、コントローラ８２１及び／又はネットワークインタフェース８２３において実装されてもよい。
【０２６４】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２６５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０２６６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０２６７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２２に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０２６８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２６９】
また、ＲＲＨ８６０は、接続インタフェース８６１及び無線通信インタフェース８６３を備える。
【０２７０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２７１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０２７２】
図２３に示したｅＮＢ８３０において、図８を参照して説明した上位層処理部１０１及び制御部１０３のうち１つ以上の構成要素は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２７３】
また、図２３に示したｅＮＢ８３０において、例えば、図８を参照して説明した受信部１０５及び送信部１０７は、無線通信インタフェース８６３（例えば、ＲＦ回路８６４）において実装されてもよい。また、送受信アンテナ１０９は、アンテナ８４０において実装されてもよい。また、ネットワーク通信部１３０は、コントローラ８５１及び／又はネットワークインタフェース８５３において実装されてもよい。
【０２７４】
＜２．２．端末装置に関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２７５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２７６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２７７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２７８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２７９】
アンテナスイッチ９１５の各々は、無線通信インタフェース９１２に含まれる複数の回路（例えば、異なる無線通信方式のための回路）の間でアンテナ９１６の接続先を切り替える。
【０２８０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０２８１】
さらに、スマートフォン９００は、無線通信方式ごとにアンテナ９１６を備えてもよい。その場合に、アンテナスイッチ９１５は、スマートフォン９００の構成から省略されてもよい。
【０２８２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０２８３】
図２４に示したスマートフォン９００において、図９を参照して説明した図９を参照して説明した上位層処理部２０１及び制御部２０３のうち１つ以上の構成要素は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２８４】
また、図２４に示したスマートフォン９００において、例えば、図９を参照して説明した受信部２０５及び送信部２０７は、無線通信インタフェース９１２（例えば、ＲＦ回路９１４）において実装されてもよい。また、送受信アンテナ２０９は、アンテナ９１６において実装されてもよい。
【０２８５】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２８６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２８７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２８８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２８９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２９０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２９１】
アンテナスイッチ９３６の各々は、無線通信インタフェース９３３に含まれる複数の回路（例えば、異なる無線通信方式のための回路）の間でアンテナ９３７の接続先を切り替える。
【０２９２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０２９３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２９４】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０２９５】
図２５に示したカーナビゲーション装置９２０において、図９を参照して説明した図９を参照して説明した上位層処理部２０１及び制御部２０３のうち１つ以上の構成要素は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２９６】
また、図２５に示したカーナビゲーション装置９２０において、例えば、図９を参照して説明した受信部２０５及び送信部２０７は、無線通信インタフェース９３３（例えば、ＲＦ回路９３５）において実装されてもよい。また、送受信アンテナ２０９は、アンテナ９３７において実装されてもよい。
【０２９７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、上位層処理部２０１、制御部２０３、受信部２０５、及び送信部２０７のうち少なくともいずれかを備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２９８】
＜＜３．むすび＞＞
以上説明したように、本実施形態に係る通信装置（基地局）は、使用するチャネルの帯域幅及び中心周波数のうち少なくともいずれかが異なる複数の端末装置それぞれとの通信のためのリソースを割り当てる。このとき、当該通信装置は、当該リソースを割り当てる領域のうち、複数の端末装置それぞれのチャネル間で重複する第１の領域に、当該複数の端末装置に対して共通に送信される第１のＮＲ−ＰＤＣＣＨを割り当てる。また、当該通信装置は、当該第１の領域とは異なる第２の領域に、当該複数の端末装置それぞれに対して個別に送信される第２のＮＲ−ＰＤＣＣＨを割り当てる。
【０２９９】
このような構成により、本実施形態に係る通信装置は、互いに異なる受信能力を有する複数の端末装置（例えば、受信帯域幅や中心周波数の異なる複数の端末装置）を多重するような状況下においても、制御信号の送信に伴うオーバーヘッドを削減することが可能となる。また、当該複数の端末装置それぞれに個別に第２のＮＲ−ＰＤＣＣＨを送信することが可能なため、制御チャネルの送信に係るカバレッジを拡張することが可能となる。このように、本実実施形態に係る通信装置に依れば、互いに異なる受信能力を有する複数の端末装置が多重されるような状況下において、システム全体の伝送効率をより向上させることが可能となる。
【０３００】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３０１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３０２】
なお、以下のような構成も本開示の技術的範囲に属する。
（１）
無線通信を行う通信部と、
使用するチャネルの帯域幅及び中心周波数のうち少なくともいずれかが異なる複数の端末装置それぞれとの通信のためのリソースを割り当てる制御部と、
を備え、
前記制御部は、
前記リソースを割り当てる領域のうち、前記複数の端末装置それぞれの前記チャネル間で重複する第１の領域に、当該複数の端末装置に対して共通に送信される第１の制御チャネルを割り当て、
前記第１の領域とは異なる第２の領域に、当該複数の端末装置それぞれに対して個別に送信される第２の制御チャネルを割り当てる、
通信装置。
（２）
前記第１の領域は、前記複数の端末装置それぞれの前記チャネル間において、周波数及び時間が重複する領域である、前記（１）に記載の通信装置。
（３）
前記第２の領域は、前記複数の端末装置それぞれの前記チャネルに対して前記リソースを割り当てる領域のうち、前記第１の領域を除く領域である、前記（１）または（２）に記載の通信装置。
（４）
前記第２の領域は、前記第１の領域と、周波数方向及び時間方向のうち少なくともいずれかの位置が異なる領域である、前記（３）に記載の通信装置。
（５）
前記制御部は、
前記第１の制御チャネルが関連付けられた一連の第１の論理制御チャネルエレメントを前記第１の領域に割り当てることで、当該第１の制御チャネルを当該第１の領域に割り当て、
前記第２の制御チャネルが関連付けられた一連の第２の論理制御チャネルエレメントを前記第２の領域に割り当てることで、当該第２の制御チャネルを当該第２の領域に割り当てる、
前記（１）〜（４）のいずれか一項に記載の通信装置。
（６）
前記一連の第１の論理制御チャネルエレメントは、所定のキャリアの中心周波数を基点として、周波数軸に沿って当該中心周波数から離間するように順次割り当てられる、前記（５）に記載の通信装置。
（７）
前記一連の第１の論理制御チャネルエレメントは、前記第１の領域の中心周波数を基点として、周波数軸に沿って当該中心周波数から離間するように順次割り当てられる、前記（５）に記載の通信装置。
（８）
前記第１の論理制御チャネルエレメント及び前記第２の論理制御チャネルエレメントの割り当てに関する情報を、前記端末装置に通知する通知部を備える、前記（５）〜（７）のいずれか一項に記載の通信装置。
（９）
前記制御部は、
前記第１の制御チャネルを、前記第１の領域中の少なくとも一部に直接割当て、
前記第２の制御チャネルを、前記第２の領域中の少なくとも一部に直接割当てる、
前記（１）〜（４）のいずれか一項に記載の通信装置。
（１０）
前記第１の領域は、端末装置が、所定の基準信号を検出する際に得られる情報、所定の報知情報を復号する際に得られる情報、または初期接続の際に得られる情報に基づき設定される、前記（１）〜（９）のいずれか一項に記載の通信装置。
（１１）
前記第１の領域は、前記複数の端末装置間で共通に受信される所定の基準信号が配置される周波数帯域に設定される、前記（１）〜（９）のいずれか一項に記載の通信装置。
（１２）
前記第２の領域は、前記端末装置ごと、または前記端末装置のグループごとに個別に設定される、前記（１）〜（１１）のいずれか一項に記載の通信装置。
（１３）
前記第２の領域には、前記端末装置ごと、または前記端末装置のグループごとに固有のサーチスペースが配置される、前記（１２）に記載の通信装置。
（１４）
前記制御部は、前記第２の制御チャネルに関する情報が、前記第１の制御チャネルを介して前記端末装置に送信されるように制御する、前記（１）〜（１３）のいずれか一項に記載の通信装置。
（１５）
無線通信を行う通信部と、
基地局と、使用するチャネルの帯域幅及び中心周波数のうち少なくともいずれかが異なる複数の端末装置それぞれと、の間の通信のために割り当てられたリソースに関する情報を、前記基地局から取得する取得部と、
を備え、
前記複数の端末装置に対して共通に送信される第１の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられる、
通信装置。
（１６）
前記取得部は、所定の基準信号の検出結果に基づき、前記リソースに関する情報を取得する、前記（１５）に記載の通信装置。
（１７）
前記取得部は、信号が送信されていないサブキャリアの検出結果に基づき、前記リソースに関する情報を取得する、前記（１５）に記載の通信装置。
（１８）
前記取得部は、前記第１の制御チャネルを介して、前記第２の制御チャネルに関する情報を取得する、前記（１５）〜（１７）のいずれか一項に記載の通信装置。
（１９）
無線通信を行うことと、
コンピュータが、使用するチャネルの帯域幅及び中心周波数のうち少なくともいずれかが異なる複数の端末装置それぞれとの通信のためのリソースを割り当てることと、
を含み、
前記リソースを割り当てる領域のうち、前記複数の端末装置それぞれの前記チャネル間で重複する第１の領域に、当該複数の端末装置に対して共通に送信される第１の制御チャネルが割り当てられ、
前記第１の領域とは異なる第２の領域に、当該複数の端末装置それぞれに対して個別に送信される第２の制御チャネルを割り当てられる、
通信方法。
（２０）
無線通信を行うことと、
コンピュータが、基地局と、使用するチャネルの帯域幅及び中心周波数のうち少なくともいずれかが異なる複数の端末装置それぞれと、の間の通信のために割り当てられたリソースに関する情報を、前記基地局から取得することと、
を含み、
前記複数の端末装置に対して共通に送信される第１の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられる、
通信方法。
（２１）
コンピュータに、
無線通信を行うことと、
使用するチャネルの帯域幅及び中心周波数のうち少なくともいずれかが異なる複数の端末装置それぞれとの通信のためのリソースを割り当てることと、
を実行させ、
前記リソースを割り当てる領域のうち、前記複数の端末装置それぞれの前記チャネル間で重複する第１の領域に、当該複数の端末装置に対して共通に送信される第１の制御チャネルが割り当てられ、
前記第１の領域とは異なる第２の領域に、当該複数の端末装置それぞれに対して個別に送信される第２の制御チャネルを割り当てられる、
プログラム。
（２２）
コンピュータに、
無線通信を行うことと、
基地局と、使用するチャネルの帯域幅及び中心周波数のうち少なくともいずれかが異なる複数の端末装置それぞれと、の間の通信のために割り当てられたリソースに関する情報を、前記基地局から取得することと、
を実行させ、
前記複数の端末装置に対して共通に送信される第１の制御チャネルは、前記リソースが割り当てられる領域のうち、当該複数の端末装置それぞれの前記チャネル間で重複する第１の領域に割り当てられ、
当該複数の端末装置それぞれに対して個別に送信される第２の制御チャネルは、前記第１の領域とは異なる第２の領域に割り当てられる、
プログラム。
【符号の説明】
【０３０３】
１    基地局装置
１０１    上位層処理部
１０３    制御部
１０５    受信部
１０５１  復号化部
１０５３  復調部
１０５５  多重分離部
１０５７  無線受信部
１０５９  チャネル測定部
１０７    送信部
１０７１  符号化部
１０７３  変調部
１０７５  多重部
１０７７  無線送信部
１０７９  リンク参照信号生成部
１０９    送受信アンテナ
１３０    ネットワーク通信部
２    端末装置
２０１    上位層処理部
２０３    制御部
２０５    受信部
２０５１  復号化部
２０５３  復調部
２０５５  多重分離部
２０５７  無線受信部
２０５９  チャネル測定部
２０７    送信部
２０７１  符号化部
２０７３  変調部
２０７５  多重部
２０７７  無線送信部
２０７９  リンク参照信号生成部
２０９    送受信アンテナ
【図１】
2018026623.tif 000005
【図２】
2018026623.tif 000006
【図３】
2018026623.tif 000007
【図４】
2018026623.tif 000008
【図５】
2018026623.tif 000009
【図６】
2018026623.tif 000010
【図７】
2018026623.tif 000011
【図８】
2018026623.tif 000012
【図９】
2018026623.tif 000013
【図１０】
2018026623.tif 000014
【図１１】
2018026623.tif 000015
【図１２】
2018026623.tif 000016
【図１３】
2018026623.tif 000017
【図１４】
2018026623.tif 000018
【図１５】
2018026623.tif 000019
【図１６】
2018026623.tif 000020
【図１７】
2018026623.tif 000021
【図１８】
2018026623.tif 000022
【図１９】
2018026623.tif 000023
【図２０】
2018026623.tif 000024
【図２１】
2018026623.tif 000025
【図２２】
2018026623.tif 000026
【図２３】
2018026623.tif 000027
【図２４】
2018026623.tif 000028
【図２５】
2018026623.tif 000029